(57)【要約】【課題】文章を入力、編集又は保存する際の正確性を確保でき、かつ小型化を図ることができる、文章入力装置を提供すること。【解決手段】文章入力装置１は、筐体１０の側面に複数の入力部２０のキーを備えて構成された文章入力装置１であって、キーを介して入力された文章を記憶するための記憶部と、キーを介して現在入力されている文章の内容又は形式を確認するための表示手段であって、筐体１０の側面のうちキーと同一側面上に設けられた表示手段と、キーを介して現在入力されている文章の内容又は形式を表示手段によって表示させる表示制御部とを備え、あるいは、記憶部にて記憶される文章の編集又は保存方法を指示するための編集保存指示部と、編集保存指示部にて指示された編集又は保存方法に基づいてキーを介して入力された文章を記憶部によって記憶させる記憶制御部とを備える。【選択図】図１
2012003605.tif 000002
【特許請求の範囲】
【請求項１】
筐体の側面に複数のキーを備えて構成された文章入力装置であって、
前記キーを介して入力された文章を記憶するための記憶手段と、
前記キーを介して現在入力されている文章の内容又は形式を確認するための表示手段であって、前記筐体の側面のうち前記キーと同一側面上に設けられた表示手段と、前記キーを介して現在入力されている文章の内容又は形式を前記表示手段によって表示させる表示制御手段とを備え、あるいは、
前記記憶手段にて記憶される文章の編集又は保存方法を指示するための編集保存指示手段と、前記編集保存指示手段にて指示された編集又は保存方法に基づいて前記キーを介して入力された文章を前記記憶手段によって記憶させる記憶制御手段とを備える、
文章入力装置。
【請求項２】
前記編集保存指示手段は、前記キーを介して現在入力されている文章において、ページを区切る位置を指定するためのページ区切位置指定手段である、
請求項１に記載の文章入力装置。
【請求項３】
前記記憶手段は、前記キーを介して入力された文章を保存するための複数のフォルダを格納するフォルダ格納手段を備え、
前記編集保存指示手段は、前記フォルダ格納手段に格納された複数のフォルダの中から、前記キーを介して現在入力されている文章を保存するフォルダを指定するためのフォルダ指定手段である、
請求項１又は２に記載の文章入力装置。
【請求項４】
前記表示手段は、前記キーを介して文章を入力する際の入力モードが日本語入力モードと英語入力モードのいずれであるのかを識別可能な態様で表示するための発光手段である、
請求項１から３のいずれか一項に記載の文章入力装置。
【請求項５】
前記表示手段は、前記キーを介して現在入力されている文章のうち、所定長の一行分の文章を表示するためのディスプレイである、
請求項１から４のいずれか一項に記載の文章入力装置。
【請求項６】
前記キーを介して文章を入力する際に、操作されたキーがいずれのキーであるのかを識別可能な態様で入力音を出力するための入力音出力手段を備える、
請求項１から５のいずれか一項に記載の文章入力装置。
【発明の詳細な説明】
【技術分野】
【０００１】
本発明は、文章入力装置に関する。
【背景技術】
【０００２】
従来、ノートパソコンやＰＤＡ等の文章を入力するための文章入力装置が用いられている。例えば、特許文献１には、システム本体、文章を入力するためのキーボード、文章を表示するための表示装置、及び入力した文章を保存するための外部記憶装置を備える携帯型電子機器が開示されている。
【０００３】
ここで、上述したような携帯電子機器は、携帯性を高めるためには小型化することが好ましいが、当該携帯電子機器はキーボードにて入力された文章を表示する表示装置を備えているため、小型化を図るには限界があった。
【先行技術文献】
【特許文献】
【０００４】
【特許文献１】特開平０５−０３５３７１号公報
【発明の概要】
【発明が解決しようとする課題】
【０００５】
ところで、文章の読解においては、文章の語中の語順が正確でない場合であっても、文章の語頭と語尾の文字さえ正しい位置にあれば文章の意味が通じる場合がある。これより、携帯型電子機器に文章を入力する場合において、文章入力中に文章の語順を正確に確認しなくても、文章入力後に上記ロジックに基づいて文章の語順を入れ替えることにより、当該入力した文章が意味の通じる文章にすることができる。したがって、入力した文章の語順を入れ替える文章入力システムは、例えば、文章の入力時において、入力した文章の内容をユーザに提示しないシステムとして、上記携帯型電子機器から表示装置を除いた携帯型電子機器と、当該携帯型電子機器に入力された文章を上記ロジックに基づいて判読するための文章判読装置とを備えて構成することができる。この文章入力システムによれば、ユーザが携帯型電子機器で文章の内容を視覚的に確認できないことにより、携帯型電子機器に意味の通じない文章が入力された場合でも、文章判読装置が当該入力された文章を意味の通じる文章にすることができる。また、このような文章入力システムにおいては、携帯型電子機器の表示装置を省略することができるので、当該携帯型電子機器の構造を簡素化でき、当該携帯型電子機器の小型化を図ることができると共に製造コストを抑えることができる。
【０００６】
しかしながら、上述した従来の携帯型電子機器は、文章を入力、編集、又は保存する際の正確性に関して改善の余地があった。例えば、文章の入力時において、携帯型電子機器に表示装置がない場合には、入力された文章の内容を確認することができないので、ユーザによるキーボードの誤操作によって、ユーザが想定していた文章と、実際に携帯型電子機器に入力された文章とが全く異なるおそれがあった。また、文章の編集又は保存時において、文章入力装置に表示装置がない場合には、ユーザが正しくキーボードの操作が行われたか否かを確認することができないので、複雑なキーボードの操作によって文章が編集又は保存される場合に、キーボードの操作のタイミングがずれることにより、文章の編集又は保存が行われないおそれがあった。
【０００７】
本発明は、上記に鑑みてなされたものであって、文章を入力、編集又は保存する際の正確性を確保でき、かつ小型化を図ることができる、文章入力装置を提供することを目的とする。
【課題を解決するための手段】
【０００８】
上述した課題を解決し、目的を達成するために、請求項１に記載の文章入力装置は、筐体の側面に複数のキーを備えて構成された文章入力装置であって、前記キーを介して入力された文章を記憶するための記憶手段と、前記キーを介して現在入力されている文章の内容又は形式を確認するための表示手段であって、前記筐体の側面のうち前記キーと同一側面上に設けられた表示手段と、前記キーを介して現在入力されている文章の内容又は形式を前記表示手段によって表示させる表示制御手段とを備え、あるいは、前記記憶手段にて記憶される文章の編集又は保存方法を指示するための編集保存指示手段と、前記編集保存指示手段にて指示された編集又は保存方法に基づいて前記キーを介して入力された文章を前記記憶手段によって記憶させる記憶制御手段とを備える。
【０００９】
請求項２に記載の文章入力装置は、請求項１に記載の文章入力装置において、前記編集保存指示手段は、前記キーを介して現在入力されている文章において、ページを区切る位置を指定するためのページ区切位置指定手段である。
【００１０】
請求項３に記載の文章入力装置は、請求項１又は２に記載の文章入力装置において、前記記憶手段は、前記キーを介して入力された文章を保存するための複数のフォルダを格納するフォルダ格納手段を備え、前記編集保存指示手段は、前記フォルダ格納手段に格納された複数のフォルダの中から、前記キーを介して現在入力されている文章を保存するフォルダを指定するためのフォルダ指定手段である。
【００１１】
請求項４に記載の文章入力装置は、請求項１から３のいずれか一項に記載の文章入力装置において、前記表示手段は、前記キーを介して文章を入力する際の入力モードが日本語入力モードと英語入力モードのいずれであるのかを識別可能な態様で表示するための発光手段である。
【００１２】
請求項５に記載の文章入力装置は、請求項１から４のいずれか一項に記載の文章入力装置において、前記表示手段は、前記キーを介して現在入力されている文章のうち、所定長の一行分の文章を表示するためのディスプレイである。
【００１３】
請求項６に記載の文章入力装置は、請求項１から５のいずれか一項に記載の文章入力装置において、前記キーを介して文章を入力する際に、操作されたキーがいずれのキーであるのかを識別可能な態様で入力音を出力するための入力音出力手段を備える。
【発明の効果】
【００１４】
請求項１に記載の文章入力装置によれば、表示制御手段がキーを介して現在入力されている文章の内容又は形式を表示手段に対して表示させ、あるいは、記憶制御手段が編集保存指示手段にて指示された編集又は保存方法に基づいて入力された文章をフォルダ格納手段のフォルダに記憶するので、表示手段によって現在入力されている文章の内容又は形式をユーザに提示でき、あるいは、編集保存指示部を操作することによって文章の編集又は当該フォルダに文章を保存できるので、文章を入力、編集、又は保存する際の正確性を確保することができる。また、現在入力されている文章の内容又は形式を表示する表示手段を用いることで、当該文章入力装置に表示装置を備えることを省略することができ、当該文章入力装置の小型化を図ることができると共に製造コストを抑えることができる。
【００１５】
請求項２に記載の文章入力装置によれば、編集保存指示手段は、キーを介して現在入力されている文章において、ページを区切る位置を指定するためのページ区切位置指定手段であるので、当該ページ区切位置指定手段を操作することによりページを区切る位置を指定することができ、表示装置がなくても文章の編集を正確かつ簡易に行うことができる。
【００１６】
請求項３に記載の文章入力装置によれば、編集保存指示手段は、フォルダ格納手段に格納された複数のフォルダの中から、キーを介して現在入力されている文章を保存するフォルダを指定するためのフォルダ指定手段であるので、当該フォルダ指定手段を操作することによりフォルダを指定することができ、表示装置がなくても文章の保存を正確かつ簡易に行うことができる。
【００１７】
請求項４に記載の文章入力装置によれば、表示手段は、キーを介して文章を入力する際の入力モードが日本語入力モードと英語入力モードのいずれであるのかを識別可能な態様で表示するための発光手段であるので、発光手段の点灯又は点滅により入力モードが日本語入力モードと英語入力モードのいずれであるのかをユーザに提示でき、表示装置がなくても文章を入力する際の正確性を一層確保することができる。
【００１８】
請求項５に記載の文章入力装置によれば、キーを介して文章を入力する際に、操作されたキーがいずれのキーであるのかを識別可能な態様で入力音を出力するための入力音出力手段を備えるので、入力音出力手段の入力音によりキーが的確に操作されたことをユーザに提示でき、文章を入力する際の正確性をさらに一層確保することができる。
【００１９】
請求項６に記載の文章入力装置によれば、表示手段は、キーを介して現在入力されている文章のうち、所定長の一行分の文章を表示するための文章表示手段であるので、文章表示手段によって当該所定長の一行分の文章の内容又は形式をユーザに提示でき、入力された文章の全文を表示する表示装置でなくても文章を入力又は編集する際の正確性を一層確保することができる。
【図面の簡単な説明】
【００２０】
【図１】実施の形態１に係る文章入力装置の概要図であり、（ａ）は使用時の状態を示す図であり、（ｂ）は収納時の状態を示す図である。
【図２】実施の形態１に係る文章入力装置の使用時の状態の平面図である。
【図３】実施の形態１に係る文章入力装置の電気的構成を概念的に示すブロック図である。
【図４】実施の形態２に係る文章入力装置の使用時の状態の平面図である。
【図５】実施の形態２に係る文章入力装置の電気的構成を概念的に示すブロック図である。
【発明を実施するための形態】
【００２１】
以下に添付図面を参照して、この発明に係る文章入力装置の実施の形態を詳細に説明する。ただし、これらの実施の形態によって本発明が限定されるものではない。
【００２２】
〔実施の形態１〕
最初に、実施の形態１について説明する。この実施の形態１は、発光手段を用いて文章の内容又は形式を表示する形態である。
【００２３】
（構成）
実施の形態１に係る文章入力装置の適用対象は任意であり、例えば、手軽に携帯できる手帳型の文章入力装置等に適用することができる。以下では、携帯タイプの手帳型文章入力装置（以下、文章入力装置と称する）に適用した場合を例として説明を行う。
【００２４】
（構成−文章入力装置）
まず、文章入力装置の構成について説明する。図１は、実施の形態１に係る文章入力装置の概要図であり、（ａ）は使用時の状態を示す図であり、（ｂ）は収納時の状態を示す図である。図２は、実施の形態１に係る文章入力装置の使用時の状態の平面図である。なお、以下の説明では、図１（ａ）のＸ方向を長さ方向、Ｙ方向を幅方向、Ｚ方向を厚さ方向とする。図１に示すように、文章入力装置１は、筐体１０、入力部２０、発光部３０、入力音出力部４０、出力部５０、及び電源切替部６０を備えて構成されている。
【００２５】
筐体１０は、入力部２０、発光部３０、入力音出力部４０、出力部５０、及び電源切替部６０を支持する支持手段であり、かつ文章入力装置１の内部に備えられた電子機器を保護する保護手段である。この筐体１０は、樹脂材にて形成された略中空状の方形体であり、外面カバー１１と内面カバー１２とを組み合わされて構成されている。これら外面カバー１１と内面カバー１２の接続方法は任意であるが、例えば、外面カバー１１と内面カバー１２は嵌合やネジ留めにて接続する。
【００２６】
この筐体１０には、当該筐体１０の内面カバー１２に入力部２０を配置するための開口部１３、発光部３０を配置するための開口部１４、及び電源切替部６０を配置するための開口部１５が設けられている。また、この筐体１０には、当該筐体１０の内面カバー１２又は外面カバー１１に出力部５０を配置するための開口部１６が設けられている。また、この筐体１０の内面カバー１２には、筐体１０の内部から後述する入力音出力部４０から出力された入力音を外部へ放出するための音響孔１７が設けられている。なお、この筐体１０の外面カバー１１には、後述する入力部２０の操作を容易にさせるために、当該筐体１０を傾斜させるための図示しない脚部が設けられてもよい。
【００２７】
また、文章入力装置１を２つに折り畳んで収納可能なように、この筐体１０は当該筐体１０の長さ方向の中央部付近で第１の筐体１０ａと第２の筐体１０ｂとに分離して構成されている。具体的には、第１の筐体１０ａと第２の筐体１０ｂは、当該筐体１０の長さ方向の中央部付近に位置する後述する入力部２０のキー間の境目に沿って分離されている。これら第１の筐体１０ａと第２の筐体１０ｂとの接続方法は任意であるが、例えば、図１（ａ）、（ｂ）に示すように、第１の筐体１０ａ又は第２の筐体１０ｂをＹ軸周りに回動させることが可能なように、第１の筐体１０ａと第２の筐体１０ｂとはヒンジ部１８にて接続されている。これにより、図１（ｂ）に示すように、第１の筐体１０ａの内面カバー１２と第２の筐体１０ｂの内面カバー１２とが当接した状態で文章入力装置１が収納されることで、文章入力装置１の携帯性を向上させることができると共に、筐体１０の内面カバー１２に配置された後述する入力部２０が外的要因により誤動作することを防止することができる。なお、文章入力装置１を２つに折り畳んだ際に、第１の筐体１０ａ側の入力部２０と第２の筐体１０ｂ側の入力部２０とが非接触状態となるように、第１の筐体１０ａと第２の筐体１０ｂとの相互間の位置を決定してもよい。これにより、入力部２０同士が当接することによる誤操作を防止することができる。
【００２８】
入力部２０は、文章を入力するための入力手段である。この入力部２０は、樹脂材にて形成されており、筐体１０の内面カバー１２の開口部１３に配置されており、筐体１０の内部にある図示しない固定具に固定されている。また、図２に示すように、この入力部２０は、標準キー群２１、補助キー群２２、及び編集保存指示部２３を備えて構成されている。
【００２９】
標準キー群２１は、ＪＩＳ規格に準拠したキーのうち、後述するキーの一群である。例えば、この標準キー群２１は、文字、数字、又は記号を入力するための文字数字キー、文字又は数字を半角又は全角に切り替えるための半角全角キー、所定長の空白を入力するためのＴａｂキー、アルファベットを大文字で入力するためのＣａｐｓ  Ｌｏｃｋキー、文字数字キーを用いて文字、数字、又は記号を入力するためのＳｈｉｆｔキー、文章を改行するためのＥｎｔｅｒキー、文字を削除するためのＢａｃｋ  Ｓｐａｃｅキー、及び文章を入力する際の入力モードを日本語入力モード（カタカナ又はひらがな）に変更するためのカタカナひらがなキーにて構成される。ここで、この標準キー群２１は、文字、数字、記号、スペース等を入力するために最低限必要なキー群であれば足りるため、例えば、この標準キー群２１は、ＪＩＳ規格に準拠したキーのうち、ファンクションキー、カーソルキー、テンキー等が除かれる。このような構成にすることにより、入力部２０のキーの数を減らすことができるので、文章入力装置１の構成を簡素化することができる。また、この標準キー群２１は、当該文章入力装置１で文章の編集を行わないことを前提としているため、例えば、この標準キー群２１には、ＪＩＳ規格に準拠したキーのうちのＣｔｒlキー、Ａｌｔキー等が除かれている。これにより、入力部２０のキー操作がシンプルになるので、当該入力部２０のキーの誤操作を防止することができる。さらに、文章の編集を行わないことを前提とした場合において、当該標準キー群２１の構成の簡素化を徹底するために、例えば、図２に示すＴａｂキー等を省略してもよい。
【００３０】
補助キー群２２は、標準キー群２１ではカバーできないキー機能を補助するためのキーの一群であり、例えば、標準キー群２１の文字数字キーの一部（図２では、文字数字キーの「Ｊ」キー等）をテンキーとして使用する場合に用いられるＮｕｍロックキー、及び文章を入力する際の入力モードを英語入力モードに変更するための英語キーが該当する。この補助キー群２２の各キーの配置位置は任意であり、例えば、標準キー群２１の配列を乱さない位置であって、当該補助キー群２２の各キーと関連する標準キー群２１のキーに近接した位置に配置されている。具体的には、図２に示すように、Ｎｕｍロックキーは入力部２０の左側に配置されたＳｈｉｆｔキーの下側に配列され、英語キーはカタカナひらがなキーの下側に配置されている、このように、標準キー群２１の配列を維持しながら、補助キー群２２の各キーと標準キー群２１のキーとを関連付けて配置しているので、従来のキーの操作性を維持することができる。
【００３１】
編集保存指示部２３は、後述する記憶部９０にて記憶される文章の編集又は保存方法を指示するための編集保存指示手段であり、ページ区切位置指定キー２３ａ、及びフォルダ指定キー２３ｂを備えて構成されている。ページ区切位置指定キー２３ａは、入力部２０のキーを介して現在入力されている文章において、ページを区切る位置を指定するためのページ区切位置指定手段である。フォルダ指定キー２３ｂは、後述する記憶部９０のフォルダ格納部９１に格納された複数のフォルダ（例えば、後述する図３のフォルダ１〜フォルダ３）の中から、入力部２０のキーを介して入力された文章を保存するフォルダを指定するためのフォルダ指定手段である。なお、これらの編集保存指示部２３の各構成要素によって実行される処理の詳細については後述する。
【００３２】
発光部３０、３１は、入力部２０のキーを介して文章を入力する際の入力モードが日本語入力モードと英語入力モードのいずれであるのかを識別可能な態様で表示するための発光手段である。具体的には、発光部３０は入力モードが日本語入力モードである場合に点灯又は点滅し、発光部３１は入力モードが英語入力モードである場合に点灯又は点滅する。これら発光部３０、３１は、筐体１０の内面カバー１２の開口部１４に配置されており、筐体１０の内部にある図示しない固定具に固定されている。また、これら発光部３０、３１の配置位置は任意であり、ユーザに対して現在入力されている入力モードが日本語入力モードと英語入力モードのいずれであるのかを容易に確認できる位置に配置されることが好ましく、例えば、発光部３０はカタカナひらがなキーと一体化して配置されており、発光部３１は英語キーと一体化して配置されている。なお、発光部３０、３１の具体的な構成は任意であり、例えば公知のＬＥＤランプや公知の蛍光ランプ等を使用することができる。
【００３３】
入力音出力部４０は、入力部２０のキーを介して文章を入力する際に、操作されたキーがいずれのキーであるのかを識別可能な態様で入力音を出力するための入力音出力手段であり、例えば公知のスピーカ等で構成される。この入力音出力部４０は、筐体１０の内部に設けられており、当該筐体１０の内部にある図示しない固定具に固定されている。
【００３４】
この入力音出力部４０の入力音の出力方法は任意であり、例えば、入力音出力部４０は、入力部２０のキーのうち、使用頻度が多く又は誤操作が生じにくいキー（図２では、文字数字キー、Ｅｎｔｅｒキー、Ｂａｃｋ  Ｓｐａｃｅキー等）については入力音を出力せず、使用頻度が少なく又は誤操作が生じやすいキー（図２では、半角全角キー、Ｔａｂキー、Ｃａｐｓ  Ｌｏｃｋキー、Ｓｈｉｆｔキー、Ｎｕｍ  Ｌｏｃｋキー等）については入力音を出力する。これにより、ユーザに対して入力部２０のキーの操作の特徴に応じた注意喚起を行うことができ、ユーザによる入力部２０のキーの誤操作を防止することができる。ただし、使用頻度が多く又は誤操作が生じにくいキーと、使用頻度が少なく又は誤操作が生じやすいキーとを同時操作する場合（例えば、文字数字キーとＳｈｉｆｔキーとを同時操作して、記号を入力する等）や、使用頻度が少なく又は誤操作が生じやすいキーの機能がロックされた後に、使用頻度が多く又は誤操作が生じにくいキーを操作する場合（例えば、Ｃａｐｓ  Ｌｏｃｋキーでキーロックされた後に、文字数字キーを操作する等）には、入力音出力部４０は入力音を出力する。これにより、使用頻度が多く又は誤操作が生じにくい入力部２０のキーが操作されている場合であっても、入力部２０のキーの誤操作が生じるおそれがあること、又は入力部２０のキーの誤操作が生じていることをユーザに対して注意喚起することができ、ユーザによる入力部２０のキーの誤操作を一層防止することができる。なお、入力音出力部４０より出力される入力音の具体的な態様は任意であり、予め録音された効果音や音声メッセージ等を出力することができる。
【００３５】
出力部５０は、後述する記憶部９０のフォルダ格納部９１に格納されたフォルダに保存された文章を外部に出力するための出力手段である。この出力部５０は、筐体１０の外面カバー１１又は内面カバー１２の開口部１６に配置されており、筐体１０の内部にある図示しない固定具に固定されている。この出力部５０の具体的な構成は任意であり、公知のＵＳＢ端子等を使用することができる。なお、この出力部５０を介して後述するフォルダ格納部９１のフォルダに保存された文章を出力する方法としては、例えば、出力部５０と図示しない補助記憶装置（例えば、ＵＳＢメモリ等）等を接続することにより、後述するフォルダ格納部９１のフォルダに保存された文章が出力される。
【００３６】
電源切替部６０は、文章入力装置１の電源のＯＮとＯＦＦを切り替えるための電源切替手段である。この電源切替部６０は、筐体１０の内面カバー１２の開口部１５に配置されており、筐体１０の内部にある図示しない固定具に固定されている。
【００３７】
（文章入力装置の電気的構成）
次に、文章入力装置１の電気的構成について説明する。図３は、実施の形態１に係る文章入力装置１の電気的構成を概念的に示すブロック図である。文章入力装置１は、電源部７０、制御部８０、及び記憶部９０を備えて構成されている。
【００３８】
電源部７０は、文章入力装置１に電力を供給する電力供給手段である。この電源部７０の具体的種類は任意であるが、例えば、公知のリチウム電池、公知のアルカリ電池、公知の太陽電池等の電池、交流電源等を用いることができる。あるいは、入力部２０のキータイプ時の押し力や振動を電気エネルギーに変換する圧電素子等を備えて構成された発電スイッチを入力部２０の背面に実装してもよい。この場合には、ユーザが入力部２０のキー入力を連続して行うことで、文章入力装置１の動作に必要な電力（主に後述する制御部８０のＣＰＵの駆動電力）を発生させることができる。特に、文章入力装置１は、消費電力が大きいディスプレイを有していないので、上記発電スイッチによって発生した電力により、文章入力装置１の消費電力の全量又は多くの部分を賄うことができ、従来の文章入力装置と比べて電源部７０の小型化を図ったり、電源部７０を完全に省略することができる。
【００３９】
制御部８０は、文章入力装置１における各種の制御を行う制御手段である。この制御部８０の具体的構成は任意であるが、例えば、記憶部９０に記憶されたプログラムを呼出して解析実行するＣＰＵ（Ｃｅｎｔｒａｌ  Ｐｒｏｃｅｓｓｉｎｇ  Ｕｎｉｔ）として構成することができる。
【００４０】
この制御部８０は、表示制御部８１及び記憶制御部８２を備えている。表示制御部８１は、入力部２０のキーを介して現在入力されている文章の内容又は形式を発光部３０、３１によって表示させる表示制御手段である。記憶制御部８２は、編集保存指示部２３にて指示された編集又は保存方法に基づいて入力部２０のキーを介して入力された文章を記憶部９０によって記憶させる記憶制御手段である。
【００４１】
記憶部９０は、制御部８０による制御に必要なプログラム及び各種のデータを記憶する記憶手段である。この記憶部９０の具体的な構成は任意であり、例えば、フラッシュメモリやＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）の如き不揮発性の記憶媒体を用いることができる。
【００４２】
この記憶部９０は、フォルダ格納部９１を備えている。フォルダ格納部９１は、入力部２０のキーを介して入力された文章を保存するための複数のフォルダを格納するフォルダ格納手段である。具体的には、図３に示すように、このフォルダ格納部９１は、フォルダ１〜フォルダ３を含んで構成されている。
【００４３】
（文章入力装置の処理）
次に、このように構成された文章入力装置１によって実行される処理について説明する。この処理は、入力した文章を保存するためのフォルダを指定するフォルダ指定処理、文章を入力する際の入力モードを切り替えるための入力モード切替処理、文章を入力するための入力処理、及び入力した文章のページを区切るためのページ区切処理に大別される。以下の処理では、図１（ａ）に示すように、文章入力装置１が使用時の状態（第１の筐体１０ａと第２の筐体１０ｂが展開された状態）でユーザによって電源切替部６０がＯＮに切り替えられることにより、文章入力装置１の電源がＯＮされ、記憶部９０によって記憶されたプログラムに従って、各処理を常に実行することが可能となっているものとし、特記する主体を除いて制御部８０によって処理が行われる。
【００４４】
まず、フォルダ指定処理について説明する。ユーザによってフォルダ指定キー２３ｂが押されることにより、記憶部９０のフォルダ格納部９１に格納された複数のフォルダのうちの一つが指定されると、制御部８０は入力音出力部４０に対して入力音を出力させる。さらに、ユーザによってフォルダ指定キー２３ｂが押されるごとに、フォルダ格納部９１に格納された複数のフォルダの指定を所定の順序で切り替えられると（例えば、フォルダ１、フォルダ２、フォルダ３の順に切り替える）、制御部８０は入力音出力部４０に対して当該指定されたフォルダに応じた入力音を出力させる。これらフォルダの指定の切り替えが終わると、記憶制御部８２は最後に切り替えられたフォルダを入力部２０のキーを介して入力される文章を保存するためのフォルダとして指定する。このように、フォルダ指定キー２３ｂを操作することによりフォルダを指定することができるので、文章の保存を正確かつ簡易に行うことができる。なお、ユーザによってフォルダ指定キー２３ｂを介してフォルダが指定されずに後述する入力処理が行われた場合には、記憶制御部８２はフォルダ格納部９１に格納された複数のフォルダのうちの先頭のフォルダ（図３では、フォルダ１）又は前回指定されたフォルダ等を、入力した文章を保存するフォルダとして指定する。なお、フォルダ格納部９１に格納された複数のフォルダの保存方法は任意であるが、例えば、記憶制御部８２は、各フォルダに文章が保存又は更新された日付を付して、当該各フォルダを保存してもよい。このように、日付を付してフォルダを保存することにより、例えばユーザがＰＣ等でフォルダを日付毎に管理することができる。
【００４５】
ここで、フォルダ指定キー２３ｂの入力音の具体的な態様は任意であるが、例えば、入力音出力部４０は、フォルダ指定キー２３ｂにてフォルダの指定を切り替える際に、フォルダ格納部９１に格納された複数のフォルダのうち、いずれのフォルダであるのかを識別可能な態様で入力音を出力する。具体的には、図３に示すフォルダ格納部９１に格納された複数のフォルダにおいて、入力音出力部４０はフォルダ１の場合に「ピー」、フォルダ２の場合に「ピー、ピー」、フォルダ３の場合に「ピー、ピー、ピー」という効果音を各々３秒間出力してもよい。あるいは、入力音出力部４０はフォルダ１の場合に「フォルダ１です」、フォルダ２の場合に「フォルダ２です」、フォルダ３の場合に「フォルダ３です」という音声メッセージを出力してもよい。これにより、ユーザに対してフォルダ格納部９１の複数のフォルダの中から保存したいフォルダを指定することを容易にさせる。
【００４６】
次いで、入力モード切替処理について説明する。日本語入力モードへの切り替えの場合には、ユーザによってカタカナひらがなキーが押されることにより、入力モードが日本語入力モードに指定されると、制御部８０は当該指定された日本語入力モードに応じて文章の入力を制御すると共に、表示制御部８１は発光部３０を点灯又は点滅させる。また、英語入力モードへの切り替えの場合には、ユーザによって英語キーが押されることにより、入力モードが英語入力モードに指定されると、制御部８０は当該英語入力モードに応じて文章の入力を制御すると共に、表示制御部８１は発光部３１を点灯又は点滅させる。これらより、発光部３０、３１の点灯又は点滅により入力モードが日本語入力モードと英語入力モードのいずれであるのかをユーザに提示でき、文章を入力する際の正確性を一層確保することができる。なお、この入力モードが日本語入力モード又は英語入力モードである場合に発光部３０、３１が点灯又は点滅することに代えて、例えば、入力モードが日本語入力モード又は英語入力モードである場合に、入力音出力部４０が入力モードに応じた入力音を出力してもよい。具体的には、ユーザによって入力部２０の文字数字キーが操作された後に、制御部８０は入力音出力部４０に対して日本語入力モードの場合に「ピコピコ」という効果音を出力させ、英語入力モードの場合に「カチカチ」という効果音を出力させてもよい。
【００４７】
続いて、入力処理について説明する。ユーザによって入力部２０のキーを介して文章が入力されると、この入力のタイミングと同時に、記憶制御部８２は入力された文章をフォルダ指定処理にて指定されたフォルダに保存する。ここで、このような文章の入力操作時には、ユーザによって入力部２０のキーが操作されたタイミングで、制御部８０は入力音出力部４０に対して現在操作されている入力部２０のキーがいずれのキーであるのかを識別可能な態様で入力音を出力させる。例えば、文字数字キーの等の使用頻度が多く又は誤操作が生じにくいキーが操作された場合には、制御部８０が入力音出力部４０に対して入力音を出力させず、Ｔａｂキー等の使用頻度が少なく又は誤操作が生じやすいキーが操作された場合には制御部８０が入力音出力部４０に対して当該各キーに応じた効果音又は音声メッセージを出力させる。これにより、入力音出力部４０の入力音により入力部２０のキーが的確に操作されたことをユーザに提示でき、文章を入力する際の正確性をさらに一層確保することができる。また、文字数字キーとＳｈｉｆｔキーとを同時操作等の使用頻度が多く又は誤操作が生じにくいキーと使用頻度が少なく又は誤操作が生じやすいキーとが同時操作される場合や、Ｃａｐｓ  Ｌｏｃｋキーでキーロックされた後の文字数字キーの操作等の使用頻度が少なく又は誤操作が生じやすいキーの機能がロックされた後にその他のキーが操作される場合には、制御部８０が入力音出力部４０に対してこれら操作に応じた効果音又は音声メッセージを出力させる。これにより、ユーザに対してこれら操作が行われていることを注意喚起することができ、ユーザによる入力部２０のキーの誤操作を防止することができる。
【００４８】
次に、ページ区切処理について説明する。上述した入力処理が行われている中で、ユーザによってページ区切位置指定キー２３ａが押されることにより、当該入力処理にて入力されている文章においてページを区切る位置が指定されると、記憶制御部８２は当該指定された位置でページを区切るための所定の情報を付する。これにより、文章入力装置に入力された文章が上記文章判読装置によって判読されると、当該入力された文章において、上記ページを区切るための所定の情報が付された位置に改ページが挿入される。このように、ページ区切位置指定キー２３ａを操作することによりページを区切る位置を指定することができ、文章の編集を正確かつ簡易に行うことができる。また、ユーザによってページ区切位置指定キー２３ａが操作されたタイミングで、制御部８０は入力音出力部４０に対して当該ページ区切位置指定キー２３ａに応じた入力音を出力させることで、ユーザに対してページが区切られたことを提示することができる。
【００４９】
（実施の形態１の効果）
このように実施の形態１によれば、表示制御部８１が入力部２０のキーを介して現在入力されている文章の内容又は形式を表示手段に対して表示させ、あるいは、記憶制御部８２が編集保存指示部２３にて指示された編集又は保存方法に基づいて入力された文章をフォルダ格納部９１のフォルダに記憶するので、表示手段によって現在入力されている文章の内容又は形式をユーザに提示でき、あるいは、編集保存指示部２３を操作することによって文章の編集又は当該フォルダに文章を保存できるので、文章を入力、編集、又は保存する際の正確性を確保することができる。また、現在入力されている文章の内容又は形式を表示する表示手段を用いることで、文章入力装置１に表示装置を備えることを省略することができ、当該文章入力装置１の小型化を図ることができると共に製造コストを抑えることができる。
【００５０】
また、編集保存指示部２３は、入力部２０のキーを介して現在入力されている文章において、ページを区切る位置を指定するためのページ区切位置指定キー２３ａであるので、当該ページ区切位置指定キー２３ａを操作することによりページを区切る位置を指定することができ、表示装置がなくても文章の編集を正確かつ簡易に行うことができる。
【００５１】
また、編集保存指示部２３は、フォルダ格納部９１に格納された複数のフォルダの中から、入力部２０のキーを介して現在入力されている文章を保存するフォルダを指定するためのフォルダ指定キー２３ｂであるので、当該フォルダ指定キー２３ｂを操作することによりフォルダを指定することができ、表示装置がなくても文章の保存を正確かつ簡易に行うことができる。
【００５２】
また、表示手段は、入力部２０のキーを介して文章を入力する際の入力モードが日本語入力モードと英語入力モードのいずれであるのかを識別可能な態様で表示するための発光部３０、３１であるので、発光部３０、３１の点灯又は点滅により入力モードが日本語入力モードと英語入力モードのいずれであるのかをユーザに提示でき、表示装置がなくても文章を入力する際の正確性を一層確保することができる。
【００５３】
また、入力部２０のキーを介して文章を入力する際に、操作された入力部２０のキーがいずれのキーであるのかを識別可能な態様で入力音を出力するための入力音出力部４０を備えるので、入力音出力部４０の入力音により入力部２０のキーが的確に操作されたことをユーザに提示でき、文章を入力する際の正確性をさらに一層確保することができる。
【００５４】
〔実施の形態２〕
次に、本発明の実施の形態２について説明する。この形態は、ディスプレイ手段を用いて文章の内容又は形式を表示する形態である。ただし、特に説明なき構成及び処理については、実施の形態１の構成及び処理と同じであるものとし、実施の形態１と同じ構成及び処理については、実施の形態１で使用したものと同じ符号を付することでその説明を省略する。
【００５５】
（構成−文章入力装置）
図４は実施の形態２に係る文章入力装置１の使用時の状態の平面図である。また、図５は実施の形態２に係る文章入力装置１の電気的構成を概念的に示すブロック図である。この文章入力装置１は、実施の形態１の文章入力装置１とほぼ同様に構成されているが、発光部３０、３１の代わりに文章表示部１００が入力部２０の標準キー群２１の上側に配置されている点、筐体１０には、当該筐体１０の内面カバー１２に文章表示部１００を配置するための開口部１９が設けられている点、フォルダ指定キー２３ｂが操作された場合にのみ入力音出力部４０が入力音を出力する点で異なる。
【００５６】
文章表示部１００は、入力部２０のキーを介して現在入力されている文章のうち、所定長の一行分の文章を表示するためのディスプレイである。この文章表示部１００は、筐体１０の内面カバー１２の開口部１９に配置されており、筐体１０の内部にある図示しない固定具に固定されている。ここで、「所定長の一行分」とは、例えば、文字サイズが全角１０．５ポイントであって、文字数１５文字からなる一行分の文章のことである。なお、この文章表示部１００の具体的な構成は任意であり、公知の液晶ディスプレイや有機ＥＬディスプレイの如きフラットパネルディスプレイを使用することができる。
【００５７】
（文章入力装置の処理）
次に、文章入力装置１によって実行される処理について説明する。この処理は、実施の形態１の処理と同様に、フォルダ指定処理、入力モード切替処理、入力処理、及びページ区切処理に大別される。なお、この処理におけるフォルダ指定処理は、実施の形態１の処理のフォルダ指定処理と同じであるため、その説明を省略する。
【００５８】
入力モードの切替処理については、ユーザによってカタカナひらがなキーを介して入力モードが日本語入力モードに指定されたり、又は英語キーを介して入力モードが英語入力モードに指定されると、制御部８０は当該指定された日本語入力モード又は英語入力モードに応じて文章の入力を制御する。ここで、入力モードが日本語入力モード又は英語入力モードであるかは、後述する入力処理にて文章表示部１００に表示される文章に基づいて識別できるので、実施の形態１における発光部３０、３１等の設置を省略することができる。
【００５９】
また、入力処理については、ユーザによって入力部２０のキーを介して文章が入力されると、記憶制御部８２は入力部２０のキーを介して現在入力されている文章をフォルダ指定処理にて指定されたフォルダに保存する。ここで、ユーザによって入力部２０のキーが操作されたタイミングで、表示制御部８１は文章表示部１００に対して入力部２０のキーを介して現在入力されている文章のうち、入力された最新の文字から数えて所定長の一行分の文章を表示させる（図３では、「あいうえおかきくけこさしすせそ」）。このように、文章表示部１００によって所定長の一行分の文章の内容又は形式をユーザに提示できるので、文章を入力する際の正確性を一層確保することができる。特に、文字数字キーとＳｈｉｆｔキーとを同時操作等の使用頻度が多く又は誤操作が生じにくいキーと使用頻度が少なく又は誤操作が生じやすいキーとが同時操作される場合や、Ｃａｐｓ  Ｌｏｃｋキーでキーロックされた後の文字数字キーの操作等の使用頻度が少なく又は誤操作が生じやすいキーの機能がロックされた後にその他のキーが操作される場合には、文章表示部１００によって表示される文章から、キー操作が有効に働いているか否かをユーザが視覚的に確認することができるので効果的である。また、文章表示部１００の表示方法は任意であり、例えば、表示制御部８１は、文章表示部１００に対して入力部２０のキーを介して現在入力されている文章のうち、所定長の一行分のみを表示させるだけで、当該現在入力されている文章のすべて（すなわち、指定されたフォルダに保存された文章のすべて）を表示させない。これにより、表示制御部８１が文章表示部１００を簡易に制御することができ、制御部８０の回路構成を簡素化することができる。
【００６０】
また、ページ区切処理については、上述した入力処理が行われている中で、ユーザによってページ区切位置指定キー２３ａが押されることにより、当該入力処理にて入力されている文章においてページを区切る位置が指定されると、記憶制御部８２は当該指定された位置でページを区切ると共に、表示制御部８１は文章表示部１００に対してクリアにさせる。これにより、ユーザに対してページが区切られたことを視覚的に注意喚起することができる。
【００６１】
（実施の形態２の効果）
このように実施の形態２によれば、表示手段は、入力部２０のキーを介して現在入力されている文章のうち、所定長の一行分の文章を表示するための文章表示部１００であるので、文章表示部１００によって当該所定長の一行分の文章の内容又は形式をユーザに提示でき、入力された文章の全文を表示する表示装置でなくても文章を入力又は編集する際の正確性を一層確保することができる。
【００６２】
〔変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例の一部について説明する。
【００６３】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００６４】
（文章入力装置の適用対象について）
各実施の形態では、文章入力装置１の適用対象は携帯タイプの手帳型文章入力装置であると説明したが、例えば、携帯タイプの手帳型文章入力装置よりも大型で、又は、入力部２０のキー等の機能が多機能である卓上タイプのノート型文章入力装置であってもよい。
【００６５】
（各実施の形態や各変形例の相互の適用について）
各実施の形態や各変形例は、その一部を相互に交換してもよい。各実施の形態や各変形例は、その一部を相互に交換してもよい。例えば、実施の形態２では、発光部３０をカタカナひらがなキーと一体化して配置し、発光部３１を英語キーと一体化して配置してもよい。また、実施の形態２では、制御部８０は入力音出力部４０に対してフォルダ指定キー２３ｂが操作された場合にのみに入力音を出力させるだけでなく、その他の入力部２０のキーが操作された場合にも入力音を出力させてもよい。
【００６６】
（入力部について）
各実施の形態では、入力部２０は、標準キー群２１、補助キー群２２、及び編集保存指示部２３を備えて構成されていると説明したが、このような構成に限られない。例えば、各実施の形態の標準キー群２１、又は補助キー群２２に含まれるキーをさらに削除して構成してもよく、あるいは、標準キー群２１、補助キー群２２、及び編集保存指示部２３には含まれない機能を有するキー等を追加して構成してもよい。例えば、記憶部９０のフォルダ格納部９１に格納されたフォルダに保存されている文章を削除するフォルダ文章削除キーや、入力した文章の変換を確定するための変換確定指示キーを追加してもよい。
【００６７】
（入力音出力部について）
各実施の形態では、入力音出力部４０は公知のスピーカにて構成されると説明したが、このような構成に限られない。例えば、入力音出力部４０は、入力部２０のキーの入力音を機械的に発生させる入力音発生部にて構成されてもよい。具体的には、入力音発生部は、文字数字キーの等の使用頻度が多く又は誤操作が生じにくいキーの場合に、クリック時のキーの押し下げする力を公知の方法にて軽くし、Ｔａｂキー等の使用頻度が少なく又は誤操作が生じやすいキーの場合に、クリック時のキーの押し下げする力を公知の方法にて重くすることで、キーの種類に応じて識別可能な態様で入力音を機械的に発生させる。
【００６８】
（発光部について）
実施の形態１では、表示手段は発光部３０、３１であると説明したが、このような構成に限られない。例えば、カタカナひらがなキーと英語キーとの相互間に一つの発光部を設けてもよい。この場合には、入力モードが日本語入力モードである場合に制御部８０は発光部を点灯させ、入力モードが英語入力モードである場合に制御部８０は発光部を点滅させる。また、実施の形態１では、発光部３０をカタカナひらがなキーと一体化して配置し、発光部３１を英語キーと一体化して配置すると説明したが、これ以外の入力部２０のキーに発光部を配置してもよい。例えば、入力部２０のキーを介して入力される文章がアルファベットの大文字であることを表示するための発光部をＣａｐｓ  Ｌｏｃｋキーと一体化して配置してもよい。
【００６９】
（電源切替部について）
各実施の形態では、電源切替部６０を筐体１０の内面カバー１２に設けたと説明したが、これに限られない。例えば、電源切替部６０をヒンジ部１８に設けてもよい。具体的には、図１（ａ）に示すように、文章入力装置１が開かれた状態になると、制御部８０が電源切替部６０をＯＮに切り替えることにより、文章入力装置１の電源がＯＮされ、図１（ｂ）に示すように、文章入力装置１が折り畳まれた状態になると、制御部８０が電源切替部６０をＯＦＦに切り替えることにより、文章入力装置１の電源がＯＦＦされる。
【００７０】
（文章入力装置の処理について）
各実施の形態では、入力処理において、ユーザによって入力部２０のキーを介して文章が入力されると、この入力のタイミングと同時に、記憶制御部８２は入力された文章をフォルダ指定処理にて指定されたフォルダに保存すると説明したが、これに限られない。例えば、文章が入力されている間、記憶制御部８２は入力された文章を記憶部９０に備えられた揮発性の記憶媒体（例えば、ＲＡＭ（Ｒａｍｄｏｍ  Ａｃｃｅｓｓ  Ｍｅｍｏｒｙ）等に一時的に保存する。そして、すべての文章が入力された後に、ユーザによって電源切替部６０を介して電源がＯＦＦに切り替えられたり、又はユーザによってフォルダ指定キー２３ｂを介して異なるフォルダに切り替えられると、記憶制御部８２は当該揮発性の記録媒体に保存した文章をフォルダ指定処理にて指定されたフォルダに保存する。この場合において、図１（ｂ）に示すように、ユーザによって文章入力装置１が折り畳まれた状態になった場合に、記憶制御部８２は当該揮発性の記録媒体に保存した文章をフォルダ指定処理にて指定されたフォルダに保存してもよい。
【００７１】
また、入力処理において、表示制御部８１が入力部２０のキーを介して現在入力されている文章の内容又は形式を表示手段に対して表示させると説明したが、これに限られない。例えば、出力部５０とＰＣとをＵＳＢ接続することで、当該ＰＣの画面上にフォルダ指定処理にて指定されたフォルダに入力された文章を表示させてもよい。これにより、フォルダ指定処理にて指定されたフォルダに入力された文章のすべてをユーザに提示でき、文章を入力する際の正確性をより一層確保することができる。
【符号の説明】
【００７２】
１  文章入力装置
１０  筐体
１０ａ  第１の筐体
１０ｂ  第２の筐体
１１  外面カバー
１２  内面カバー
１３、１４、１５、１６、１９  開口部
１７  音響孔
１８  ヒンジ部
２０  入力部
２１  標準キー群
２２  補助キー群
２３  編集保存指示部
２３ａ  ページ区切位置指定キー
２３ｂ  フォルダ指定キー
３０、３１  発光部
４０  入力音出力部
５０  出力部
６０  電源切替部
７０  電源部
８０  制御部
８１  表示制御部
８２  記憶制御部
９０  記憶部
９１  フォルダ格納部
１００  文章表示部
【図１】
2012003605.tif 000003
【図２】
2012003605.tif 000004
【図３】
2012003605.tif 000005
【図４】
2012003605.tif 000006
【図５】
2012003605.tif 000007